(57)【要約】【課題】外筒と内筒を備えた二重筒式煙突において、煙突上部空間の点検作業等を良好な作業環境で行うことのできる二重筒式煙突を提供する。【解決手段】外筒２の上部に設けられたパラペット３は、下端が外筒２より外側に張り出しているとともに、下端と外筒２との間に所定寸法Ｓの隙間１８を有している。また、パラペット３の上端は内筒５側に向かって所定の角度θで傾斜している。【選択図】図１
2006145171.tif 000002
【特許請求の範囲】
【請求項１】
外筒と内筒を備えた二重筒式煙突において、外筒の上部に設けられたパラペットは、その下端が前記外筒より外側に張り出しているとともに、その下端と前記外筒との間に隙間を有していることを特徴とする二重筒式煙突。
【請求項２】
パラペットの上端が内筒側に傾斜していることを特徴とする請求項１に記載の二重筒式煙突。
【発明の詳細な説明】
【技術分野】
【０００１】
この発明は、清掃工場等で使用されている二重筒式煙突に関するものである。
【背景技術】
【０００２】
清掃工場等では、外筒と内筒を備えた二重筒式煙突が使用されている（例えば、特許文献１参照。）。
【０００３】
従来用いられている二重筒式煙突の構造、特に、煙突上部の構造を図３と図４に示す。図３は立断面図、図４は図３のＡ−Ａ矢視図である。
【０００４】
図３、図４に示すように、従来の二重筒式煙突２０は、外筒２と内筒５を備え、外筒２の上端には、上方に向かって垂直方向に延びる屋上パラペット１６と、内筒５に向かって水平方向に延びる屋上床４が設けられている。なお、屋上床４と内筒５の隙間から雨が吹き込むのを防止するために、屋上床４に雨仕舞い用立ち上がり６、内筒５に雨仕舞い用カバー７がそれぞれ取り付けられている。
【特許文献１】特開平７−４２４１１号公報
【発明の開示】
【発明が解決しようとする課題】
【０００５】
このような二重筒式煙突では、外筒２の幅ａが一定の大きさになると、図４に示すように、外筒２の側面に衝突した外気９は、外筒２の外面に沿って横方向に流れる横方向流れ１２、１３と、横方向へ流れきれずに外筒２の外面に沿って上方向へ流れる上昇流れ１０とに分かれる。
【０００６】
そして、上方向へ流れる上昇流れ１０は、図３に示すように、外筒２の外壁に沿って上昇していき、パラペット１６の先端で、それが継続したエアカーテン状上昇流れ１１となる。なお、１４は煙突上方の外気流れである。
【０００７】
このようなエアカーテン状上昇流れ１１に取り囲まれることによって、パラペット１６と内筒５と屋上床４で形成された煙突上部空間１５では、空気の移動が極端に少なくなり、内筒５から排出される排ガス８の一部が煙突上部空間１５によどむこととなる。
【０００８】
この結果、煙突上部空間１５は酸素欠乏状態となり、点検作業等のために煙突上部空間１５に作業者が立ち入った場合、危険にさらされることになる。
【０００９】
この問題を解決しようとして、煙突上部空間１５に送風機を設置して強制換気しようとしても、送風機の点検作業等が高所作業となるために好ましくない。
【００１０】
本発明は、上記のような事情に鑑みてなされたものであり、外筒と内筒を備えた二重筒式煙突において、煙突上部空間の点検作業等を良好な作業環境で行うことのできる二重筒式煙突を提供することを目的とするものである。
【課題を解決するための手段】
【００１１】
上記の課題を解決するために、本発明は以下の特徴を有する。
【００１２】
［１］外筒と内筒を備えた二重筒式煙突において、外筒の上部に設けられたパラペットは、その下端が前記外筒より外側に張り出しているとともに、その下端と前記外筒との間に隙間を有していることを特徴とする二重筒式煙突。
【００１３】
［２］パラペットの上端が内筒側に傾斜していることを特徴とする前記［１］に記載の二重筒式煙突。
【発明の効果】
【００１４】
本発明においては、煙突の外筒を上昇する外気がパラペットの下端より煙突上部空間に取り込まれるので、煙突上部空間が自然換気される。その結果、煙突上部空間の点検作業等を良好な作業環境で行うことのできる。
【発明を実施するための最良の形態】
【００１５】
本発明の実施の形態を図面に基づいて説明する。
【００１６】
図１は、本発明の一実施形態に係る二重筒式煙突の立断面図であり、図２は、図１のＡ−Ａ矢視図である。
【００１７】
図１、図２に示すように、この実施形態に係る二重筒式煙突１は、外筒２と内筒５を備え、外筒２の上端には、内筒５に向かって水平方向に延びる屋上床４が設けられ、外筒２の上部には、パラペット３が設けられている。
【００１８】
そして、パラペット３は、下端が外筒２より外側に張り出しているとともに、下端と外筒２との間に所定寸法Ｓの隙間１８を有している。また、パラペット３の上端は内筒５側に向かって所定の角度θで傾斜している。
【００１９】
なお、パラペット３は、外筒２の上端に所定の間隔を設けて配置されている支持部材（図示せず）によって支持されている。
【００２０】
また、屋上床４と内筒５の隙間から雨が吹き込むのを防止するために、屋上床４に雨仕舞い用立ち上がり６、内筒５に雨仕舞い用カバー７がそれぞれ取り付けられている。
【００２１】
上記のように構成された二重筒式煙突１においては、図２に示すように、外筒２の側面に衝突した外気９が、外筒２の外面に沿って横方向に流れる横方向流れ１２、１３と、横方向へ流れきれずに外筒２の外面に沿って上方向へ流れる上昇流れ１０とに分かれる。
【００２２】
そして、上方向へ流れる上昇流れ１０は、図１に示すように、外筒２の外面に沿って上昇していった後、外筒２の外側に張り出したパラペット３の下端に衝突し、隙間１８から煙突上部空間１５に取り込まれ、パラペット３の傾斜に沿いながら煙突１の上方に向けて流れる上昇流れ１７となる。
【００２３】
これによって、煙突上部空間１５が自然換気され、従来の二重筒式煙突２０のような内筒５から排出される排ガス８の一部が煙突上部空間１５によどむというようなことがなくなる。
【００２４】
その結果、煙突上部空間の点検作業等を良好な作業環境で行うことのできる。また、送風機等による強制換気ではなく、自然の力をそのまま利用した自然換気であるので、設備費も安価となる。さらに、既存の二重筒式煙突であっても、パラペットを改造することによって、上記の効果を得ることができる。
【００２５】
なお、煙突上部空間１５が流れ１７によって適切に自然換気されるには、パラペット３の傾斜角θは６０°〜９０°が好適であり、外筒２との隙間１８の寸法Ｓは１００ｍｍ以上が好適である。
【００２６】
また、この実施形態では、パラペット３の形状は直線形状としているが、それに限るものではなく、例えば、内側に凸形状となった曲線形状のものでもよい。
【図面の簡単な説明】
【００２７】
【図１】本発明の一実施形態に係る二重筒式煙突の立断面図である。
【図２】図１のＡ−Ａ矢視図である。
【図３】従来の二重筒式煙突の立断面図である。
【図４】図３のＡ−Ａ矢視図である。
【符号の説明】
【００２８】
１  二重筒式煙突
２  外筒
３  パラペット
４  屋上床
５  内筒
６  雨仕舞い用立ち上がり
７  雨仕舞い用カバー
８  排ガス
９  外気
１０  上昇流れ
１１  エアカーテン状上昇流れ
１２  横方向流れ
１３  横方向流れ
１４  煙突上方の外気流れ
１５  煙突上部空間
１６  パラペット
１７  上昇流れ
１８  隙間
２０  二重筒式煙突
【図１】
2006145171.tif 000003
【図２】
2006145171.tif 000004
【図３】
2006145171.tif 000005
【図４】
2006145171.tif 000006